(57)【要約】【課題】組付部品の部品本体を成形するための金型の種類を少なくすることができる誤組付防止構造を得る。【解決手段】本誤組付防止構造では、スイッチ組付部１８、２０は、スイッチ１４のリブ２８、３０のうちの何れかがボデー２２から取り外されなければ、スイッチ１４が組み付けられることを許容しない。これにより、適正でないスイッチ１４がスイッチ組付部１８、２０に組み付けられることを防止できる。しかも、スイッチ１４のリブ２８、３０は、スイッチ１４のボデー２２に対して薄肉部３２を介して一体的に接続されている。このため、複数のスイッチ１４のボデー２２を同じ金型で成形すると共に、スイッチ組付部１８、２０への組付前に予めリブ２８、３０のうち不要なものを手などによりボデー２２から取り外しておくことで、スイッチ１４の誤組付を防止することができる。【選択図】図２
2010102927.tif 000002
【特許請求の範囲】
【請求項１】
少なくとも１つが電気部品である複数の組付部品の各々を複数の被組付部のうち対応する適正な被組付部に組み付けるための誤組付防止構造であって、
前記組付部品は、部品本体及び前記部品本体に対して脆弱部を介して一体的に接続された複数の突部を有し、
前記複数の被組付部のうち全部又は一部は、前記複数の突部のうち少なくとも１つが前記部品本体から取り外されることで、前記組付部品が組み付けられることを許容することを特徴とする誤組付防止構造。
【請求項２】
前記突部及び前記脆弱部は、前記被組付部への前記組付部品の組付方向に沿って長尺に形成されていることを特徴とする請求項１に記載の誤組付防止構造。
【発明の詳細な説明】
【技術分野】
【０００１】
本発明は、少なくとも１つが電気部品である複数の組付部品の各々を複数の被組付部のうち対応する適正な被組付部に組み付けるための誤組付防止構造に関する。
【背景技術】
【０００２】
従来、対構造の係止突部を有するボックスと、該ボックスに冠着され前記係止突部に嵌合する対構造のロック爪を有する蓋体とからなり、一方の係止突起にスリットを設け、当該一方の係止突起と嵌合する一方のロック爪に前記スリットに嵌入する突部を設けることで、ボックスと蓋体との誤組付を防止するようにしたボックスと蓋体のロック構造が知られている（例えば、特許文献１参照）。
【特許文献１】特開平６−２８３８７０号公報
【発明の開示】
【発明が解決しようとする課題】
【０００３】
ところで、複数の組付部品の各々を複数の被組付部のうち対応する適正な被組付部に組み付けるための誤組付防止構造では、組付部品のボデー（部品本体）にリブ（突部）を形成すると共に、被組付部にこのリブと嵌合するスリットを形成する構造がある。
【０００４】
しかしながら、このような構造では、組付部品の種類に応じてリブの位置や数を変える必要があるため、組付部品の部品本体を成形するための金型の種類が増加してしまう。
【０００５】
本発明は上記事実を考慮し、組付部品の部品本体を成形するための金型の種類を少なくすることができる誤組付防止構造を得ることが目的である。
【課題を解決するための手段】
【０００６】
請求項１に記載の発明に係る誤組付防止構造は、少なくとも１つが電気部品である複数の組付部品の各々を複数の被組付部のうち対応する適正な被組付部に組み付けるための誤組付防止構造であって、前記組付部品は、部品本体及び前記部品本体に対して脆弱部を介して一体的に接続された複数の突部を有し、前記複数の被組付部のうち全部又は一部は、前記複数の突部のうち少なくとも１つが前記部品本体から取り外されることで、前記組付部品が組み付けられることを許容することを特徴としている。
【０００７】
請求項１に記載の誤組付防止構造では、複数の被組付部のうち全部又は一部は、組付部品の複数の突部のうち少なくとも１つが組付部品の部品本体から取り外されなければ、当該組付部品が組み付けられることを許容しない。これにより、適正でない組付部品が被組付部に組み付けられることを防止できる。しかも、組付部品の複数の突部は、組付部品の部品本体に対して脆弱部を介して一体的に接続されている。このため、複数の組付部品の部品本体を同じ金型で成形すると共に、被組付部への組付前に予め複数の突部のうち不要なものを手などにより部品本体から取り外しておくことで、組付部品の誤組付を防止することができる。したがって、組付部品の部品本体を成形するための金型の種類を少なくすることができる。
【０００８】
請求項２に記載の発明に係る誤組付防止構造は、請求項１に記載の誤組付防止構造において、前記突部及び前記脆弱部は、前記被組付部への前記組付部品の組付方向に沿って長尺に形成されていることを特徴としている。
【０００９】
請求項２に記載の誤組付防止構造では、組付部品の突部及びこの突部と組付部品の部品本体とを接続した脆弱部が、被組付部への組付部品の組付方向に沿って長尺に形成されている。このため、脆弱部は突部に作用する前記組付方向の荷重に対しては高い剛性を発揮するので、組付部品の被組付部への組付時に、被組付部が設けられた部材に突部が当った場合でも、当該突部が部品本体から不要に脱落することを抑制できる。
【発明の効果】
【００１０】
以上説明したように、本発明に係る誤組付防止構造では、組付部品の部品本体を成形するための金型の種類を少なくすることができる。
【発明を実施するための最良の形態】
【００１１】
図１には、本発明の実施形態に係る誤組付防止構造が適用されて構成されたスイッチホルダー１０が取り付けられたインストルメントパネル１２の部分的な構成が斜視図にて示されている。また、図２には、スイッチホルダー１０の裏側の構成が斜視図にて示されている。
【００１２】
なお、本実施形態では、本願請求項１に記載の「組付部品」として、自動車の車室内に設置されるスイッチ１４（電気部品）が適用されると共に、本願請求項１に記載の「被組付部」として、スイッチホルダー１０のスイッチ組付部１８、２０が適用された場合について説明する。
【００１３】
このスイッチホルダー１０は、自動車のインストルメントパネル１２に取り付けられており、車両に搭載された電気機器（図示省略）を作動させるための複数のスイッチ１４（電気部品、組付部品）が組み付けられている。なお、本実施形態では、本発明の理解を容易なものにするために、スイッチ１４が２つだけの場合について説明する。
【００１４】
図２に示されるように、スイッチホルダー１０は、インストルメントパネル１２の意匠面を構成する意匠部１６と、この意匠部１６の裏側へ突出する角筒状のスイッチ組付部１８、２０（被組付部）とを備えている。スイッチ組付部１８、２０は、スイッチホルダー１０の裏側へ向けて開口した角筒状に形成されており、内側にスイッチ１４が嵌合される構成になっている。
【００１５】
スイッチ１４は、直方体状に形成されたボデー２２（部品本体）を備えている。このボデー２２は、樹脂材料の射出成形によって形成されたものであり、スイッチ組付部１８、２０に嵌合可能な大きさに形成されている。また、ボデー２２の一端部（図２では下端部）には、ボデー２２側へ押し込み操作可能とされた押しボタン２４（図１参照）が設けられている。この押しボタン２４は、スイッチホルダー１０の意匠部１６に形成された矩形の貫通孔２６を介してスイッチホルダー１０の表側（車室内側）に露出している。
【００１６】
また、ボデー２２の側部には、複数の突部としての複数（本実施形態では、２つ）の角柱状のリブ２８、３０が設けられている。これらのリブ２８、３０は、ボデー２２と一体に形成されたものであり、脆弱部としての薄肉部３２（図３参照）を介してボデー２２に接続されている。リブ２８、３０及びこれらとボデー２２とを接続した薄肉部３２は、スイッチ組付部１８、２０へのスイッチ１４の組付方向（図２の矢印Ａ方向）に沿って長尺に形成されている。
【００１７】
ここで、一方のスイッチ組付部１８には、スイッチ１４が組み付けられた状態で、一方のリブ２８が挿入されるスリット３４（溝）が設けられているが、他方のリブ３０が挿入されるべきスリットは設けられていない。このため、このスイッチ組付部１８には、ボデー２２にリブ３０が接続されたままのスイッチ１４を組み付けることはできず、リブ３０がボデー２２から取り外されることで、当該スイッチ１４のスイッチ組付部１８への組み付けが許容される構成になっている。
【００１８】
また、他方のスイッチ組付部２０には、スイッチ１４が組み付けられた状態で、他方のリブ３０が挿入されるスリット３６（溝）が設けられているが、一方のリブ２８が挿入されるべきスリットは設けられていない。このため、このスイッチ組付部２０には、ボデー２２にリブ２８が接続されたままのスイッチ１４を組み付けることはできず、リブ２８がボデー２２から取り外されることで、当該スイッチ１４のスイッチ組付部２０への組み付けが許容される構成になっている。
【００１９】
次に、本実施形態の作用について説明する。
【００２０】
本実施形態では、スイッチ組付部１８、２０は、スイッチ１４のリブ２８、３０のうちの何れかがボデー２２から取り外されなければ、スイッチ１４が組み付けられることを許容しない。これにより、適正でないスイッチ１４がスイッチ組付部１８、２０に組み付けられることを防止できる。
【００２１】
しかも、スイッチ１４のリブ２８、３０は、スイッチ１４のボデー２２に対して薄肉部３２を介して一体的に接続されている。このため、複数のスイッチ１４のボデー２２を同じ金型で成形すると共に、スイッチ１４をスイッチ組付部１８、２０に組み付ける前の別工程で、予めリブ２８、３０のうち不要なものを手などによりボデー２２から取り外しておくことで、スイッチ１４の誤組付を防止することができる。したがって、スイッチ１４のボデー２２を成形するための金型の種類を少なくすることができ、金型の製造費を低減することができる。また、部品（ボデー２２）の種類を少なくすることができ、生産管理などを容易なものにすることができる。
【００２２】
さらに、本実施形態では、スイッチ１４のリブ２８、３０及びこれらとスイッチ１４のボデー２２とを接続した薄肉部３２が、スイッチ組付部１８、２０へのスイッチ１４の組付方向（図２の矢印Ａ方向）に沿って長尺に形成されている。このため、薄肉部３２はリブ２８、３０に作用する前記組付方向の荷重に対しては高い剛性を発揮するため、スイッチ１４のスイッチ組付部１８、２０への組付時に、リブ２８、３０のうちの何れかがスイッチ組付部１８、２０の側壁等に当った場合でも、当該リブがボデー２２から不要に脱落することを抑制できる。
【００２３】
なお、上記実施形態では、本発明の理解を容易なものにするために、組付部品としてのスイッチ１４及び被組付部としてのスイッチ組付部１８、２０がそれぞれ２つの場合について説明したが、本発明はこれに限らず、組付部品及び被組付部の数が多い場合には、組付部品に設けられる突起の数や、被組付部に設けられるスリット（溝）などの数を増加させることで、多数の組付部品の誤組付に対応することができる。
【００２４】
また、上記実施形態では、突部としてのリブ２８、３０が長尺な角柱状に形成された構成にしたが、本発明はこれに限らず、突部の形状は適宜変形することができる。例えば、突部が円柱状又は球状に形成された構成にしてもよい。
【００２５】
また、上記実施形態では、突部としてのリブ２８、３０が脆弱部としての薄肉部３２を介して部品本体としてのボデー２２（部品本体）に接続された構成にしたが、本発明はこれに限らず、脆弱部は突部を部品本体から手作業等により容易に取り外すことができるようにするものであればよく、突部の形状などに応じて適宜形状を変更することができる。例えば、突部が球状の場合には、この突部よりも小径な小径部を脆弱部としてもよい。
【００２６】
さらに、上記実施形態では、スイッチ組付部１８、２０に組み付けられる複数の組付部品が２つともスイッチ１４（電気部品）である場合について説明したが、本発明はこれに限らず、複数の組付部品は少なくとも１つが電気部品であればよく、残りの組付部品はダミー品（例えば、電気部品の形状を模した樹脂部品など）であってもよい。
【図面の簡単な説明】
【００２７】
【図１】本発明の実施形態に係る誤組付防止構造が適用されて構成されたスイッチホルダーが取り付けられたインストルメントパネルの部分な構成を示す斜視図である。
【図２】図１に示されるスイッチホルダーの裏側の構成、及びこのスイッチホルダーに組み付けられるスイッチの構成を示す斜視図である。
【図３】図２に示されるスイッチの部分な構成を示す断面図である。
【符号の説明】
【００２８】
１４          スイッチ（組付部品、電気部品）
１８、２０    スイッチ組付部（被組付部）
２２          ボデー（部品本体）
２８、３０    リブ（突部）
３２          薄肉部（脆弱部）
【図１】
2010102927.tif 000003
【図２】
2010102927.tif 000004
【図３】
2010102927.tif 000005